(57)【要約】【課題】前後左右方向の操作が容易であって、長時間の清掃作業でも清掃者の疲労を低減させることのできるハンドクリーナを提供すること。【解決手段】門型の支持アーム３と、前記支持アーム３の両端側に挟まれるようにして、回転自在に支持されたローラ２と、前記門型の支持アーム３に設けられた掴み持ち可能な握りノブ４とを備え、前記握りノブ４が前記支持アーム３の中央部において門型の外側に突出するように取付けられている。【選択図】図１
2018047079.tif 000002
【特許請求の範囲】
【請求項１】
門型の支持アームと、
前記支持アームの両端側に挟まれるようにして、回転自在に支持されたローラと、
前記門型の支持アームに設けられた掴み持ち可能な握りノブとを備え、
前記握りノブが前記支持アームの中央部において門型の外側に突出するように取付けられていることを特徴とするハンドクリーナ。
【請求項２】
前記握りノブは、平面視において、円形状に形成されていることを特徴とする請求項１に記載されたハンドクリーナ。
【請求項３】
前記握りノブの上面側を足として倒立可能であることを特徴とする請求項１または請求項２に記載されたハンドクリーナ。
【請求項４】
前記握りノブの外周面には、断面円弧状の凹部が周方向に沿って複数形成されていることを特徴とする請求項１乃至請求項３のいずれかに記載されたハンドクリーナ。
【請求項５】
前記握りノブの上面は凹形状になっていることを特徴とする請求項１乃至請求項４のいずれかに記載されたハンドクリーナ。
【発明の詳細な説明】
【技術分野】
【０００１】
本発明は、工場における粉塵などの細かなゴミを粘着して除去する産業用ハンドクリーナに関し、特に、把手部の形状を工夫することにより利便性の向上したハンドクリーナに関する。
【背景技術】
【０００２】
大型の樹脂板やガラスなどを製造する工場において、樹脂板などの被清掃体に付着する粉塵や埃などの細かなゴミを除去する装置として、粘着性を有するローラを備えたハンドクリーナが知られている。
図９は従来から用いられている一般的なハンドクリーナの構成例を示している。この図９に示すハンドクリーナ１０は、粘着性を有する円柱状のゴムローラ１１と、ゴムローラ１１を回転自在に支持する支持アーム１２とを有する。そして、この支持アーム１２は、前記ゴムローラ１１の中心軸と直交する方向に延びる棒状の把持部１２ａを有する。
【０００３】
ハンドクリーナ１０は、作業者（清掃者）によって前記把持部１２ａが把持されることで、被清掃体上を前後方向および左右方向に移動する。このとき、前記ゴムローラ１１は回転しながら被清掃体の表面に接触し、被清掃体の表面に吸着している細かなゴミを清掃（除去）する。
すなわち、ゴムローラ１１は被清掃体の表面の細かなゴミを満遍なく粘着させて除去する。
尚、このような従来の構造のハンドクリーナは、特許文献１に開示されている。
【先行技術文献】
【特許文献】
【０００４】
【特許文献１】特開平１１−２２５９４０号公報
【発明の概要】
【発明が解決しようとする課題】
【０００５】
ところで、前記ハンドクリーナ１０が清掃者に与える操作性（操作感）は、左右方向への移動と前後方向への移動で異なる。この操作性の相違は被清掃体が大型となる場合、より顕著となる。清掃する方向が左右方向である場合、清掃者の正面付近において、前記ハンドクリーナは不都合なく清掃可能であるが、左右方向における際付近では、いずれか一方の際において、不都合を生じさせる。例えば、作業者が右利きの場合、左側の際において、前記ハンドクリーナは不都合なく清掃可能である。しかし、右側の際において、前記ハンドクリーナでは清掃作業が困難になり、清掃者は手首を反すような動作や持ち替えをしなければならなくなる。さらに、前後方向においても、前方側と後方側（清掃者に近い場所）で作業性は異なる。清掃箇所が清掃者に近い場合、前記ハンドクリーナは作業者に手首を反えさせる動作や体を移動させる動作などを必要とさせる。すなわち、前記ハンドクリーナの把持部は長い柄になっているために、前記ハンドクリーナの操作性は、ある一方向において、著しく低下する。
【０００６】
清掃作業中にあっては、ハンドクリーナ１０（ゴムローラ１１）の進行方向の切り替え（前後方向から左右方向、または左右方向から前後方向）が繰り返し行なわれることが想定される。そして、その都度、清掃者は手首を反すような動作や持ち替え等を行う必要がある。
したがって、従来のハンドクリーナ１０は、工場で使用されるような長時間の使用が想定される場合、操作性が悪いため非効率であり、清掃者の手首に負担をかけやすい。そのため、清掃者へ身体的負担を与え、疲労をさせやすいという課題があった。
【０００７】
この発明は、前記した技術的な課題に対してなされたものであり、前後左右方向の操作が容易であって、長時間の清掃作業でも清掃者の疲労を低減させるハンドクリーナを提供することを目的とするものである。
【課題を解決するための手段】
【０００８】
前記課題を解決するためになされた、本発明に係るハンドクリーナは、門型の支持アームと、前記支持アームの両端側に挟まれるようにして、回転自在に支持されたローラと、前記門型の支持アームに設けられた掴み持ち可能な握りノブとを備え、前記握りノブが前記支持アームの中央部において門型の外側に突出するように取付けられていることに特徴を有する。
このような構成のハンドクリーナによれば、清掃者による持ち替えが容易になるため、前後左右方向の操作が容易となる。そのため、このような構成のハンドクリーナは、長時間連続して使用されるような作業においても、清掃者の疲労を軽減させ、長時間の反復動作を原因とする清掃者の身体的不調を防止できる。
【０００９】
尚、前記握りノブは、平面視において、円形状に形成されていることが望ましい。
把手部がこのような形状の握りノブであるハンドクリーナであれば、ハンドクリーナの向きを、その移動方向に合わせ、清掃者の手元において容易に変更できる。また、従来のハンドクリーナに比べて、把手部がコンパクトな形状となって軽量化され、清掃者は把持をしやすくなる。
【００１０】
また、前記握りノブの上面側を足として倒立可能であることが望ましい。
このように握りノブを足として倒立させた状態で載置（保管）することができれば、利便性を格段に向上することができる。また、ローラの粘着部の劣化を防止することができる。
【００１１】
また、前記握りノブの外周面には、断面円弧状の凹部が周方向に沿って複数形成されていることが望ましい。
このように外周面に凹部を形成することによって、把手をしやすくなり、また、凹部がハンドクリーナを操作する際の滑り止めの役割を担うため、ハンドクリーナの操作性が向上する。
【００１２】
また、前記握りノブの上面は凹形状になっていることが望ましい。
このような形状の握りノブによれば、握りノブを握った際に、上面の凹形状底部が、手の平と接触しない。また、前記握りノブを下にして床などに載置（保管）しても、前記底部が床面に接触せず、安定した保管が可能になる。
【発明の効果】
【００１３】
移動の方向（前後方向と左右方向）によって操作感が変わらず、長時間の清掃作業でも清掃者に与える負担を低減したハンドクリーナを提供することができる。
【図面の簡単な説明】
【００１４】
【図１】本発明に係るハンドクリーナの斜視図である。
【図２】図１のハンドクリーナの正面図である。
【図３】図１のハンドクリーナの側面図である。
【図４】図１のハンドクリーナの平面図である。
【図５】図１のハンドクリーナを被清掃体の前後方向に操作している様子を示す図である。
【図６】図１のハンドクリーナを被清掃体の左右方向に操作している様子を示す図である。
【図７】図１のハンドクリーナの載置（保管）状態を示す図である。
【図８】図１のハンドクリーナの変形例を示す図である。
【図９】従来のハンドクリーナ斜視図である。
【発明を実施するための形態】
【００１５】
この発明に係るハンドクリーナの実施形態について、図１〜図４に基づいて説明する。なお、図１はハンドクリーナの斜視図、図２はハンドクリーナの正面図、図３はハンドクリーナの側面図、図４はハンドクリーナの平面図である。
【００１６】
図１〜４に示すハンドクリーナ１は、円柱状のローラ２と、このローラ２を回転可能に軸支する支持アーム３と、この支持アーム３に取り付けられた掴み持ち可能な握りノブ４とを備える。また、支持アーム３は門型形状であり、ローラ２を両端側で挟むように支持する。ローラ２の外周面は粘着性のゴム部材により形成されている。そのため、その回転移動に伴い、被清掃体（図示せず）上の細かなゴミがローラ２の表面に粘着するようになっている。
【００１７】
前記ローラ２には、ローラ２の回転軸５が挿通されている。また、前記のように支持アーム３は門型に形成されている。そして、回転軸５の両端部が支持アーム３の左右両側の内側面に係合し、ローラ２が回転可能に支持されている。尚、支持アーム３の左右両側の外側面には、リリースボタン６が設けられている。このリリースボタン６が押し込まれることにより、回転軸５と支持アーム３との係合は解除される。したがって、回転軸５はローラ２とともに取り外し可能となっており、ローラ２の交換、或いはメンテナンスは簡単である。
【００１８】
前記握りノブ４は、所定の径を有する円形短柱状の頭部４ａと、該頭部４ａの径よりも小さな径を有する円形短柱状の脚部４ｂとにより構成される。脚部４ｂは頭部４ａの下方に設けられる。頭部４ａの径は、清掃者の掌が頭部４ａを覆うようにして掴み持つことが可能な径以下である。
握りノブ４の脚部４ｂは、支持アーム３の中央部において門型の外側に突出するように取付けられている。なお、握りノブ４（脚部４ｂ）の中心軸線４ｄが前記回転軸５と直交するように、握りノブ４は取り付けられている。
【００１９】
また、前記頭部４ａの外周面には、平面視において、断面円弧状の複数の凹部４ｃが周方向に等間隔で形成されている。このように形成された頭部４ａによれば、清掃者が頭部４ａを握った際に、凹み部４ｃが滑り止めの役割を担い、ハンドクリーナの操作性が向上する。
【００２０】
続いて、このように構成されたハンドクリーナ１の効果について、図５〜図７を用いて説明する。なお、図５は、図１のハンドクリーナを被清掃体の前後方向に操作している様子を示し、図６は、図１のハンドクリーナを被清掃体の縦横方向に操作している様子を示す。図７は、図１のハンドクリーナの載置（保管）状態を示す図である。
【００２１】
図５および図６に示すように、握りノブ４は清掃者９の掌で覆うようにして掴み持ちされて操作される。
被清掃体７上において、ハンドクリーナ１を前後方向（図５中の矢印Ａに示す方向）に移動させる場合、本実施の形態にかかるハンドクリーナは、清掃者９に手首を反えさせる動作や体を移動させる動作などを強要することなく操作可能である。
一方、ハンドクリーナ１を左右方向（図６中の矢印Ｂで示す方向）に移動させる場合、本実施の形態にかかるハンドクリーナ１は清掃者９の手首を反す動作や持ち替え動作をさせることなく操作可能である。
即ち、本実施の形態にかかるハンドクリーナ１は、前後左右の移動における操作を清掃者９にとって楽な姿勢で行わせる。清掃者９がハンドクリーナ１を長時間使用する場合においても、本実施の形態にかかるハンドクリーナ１によれば、清掃者の手首に掛かる負担や疲れを軽減することができる。
【００２２】
また、図７に示すように、握りノブ４の頭部４ａは、頭部４ａを下側にした状態（握りノブ４を足として）で床８などに載置（保管）を可能にする。すなわち、本実施の形態における頭部４ａは、バランスが安定した状態で倒立させる。このため、本実施の形態は、ハンドクリーナ１を載置（保管）する際に、ローラ２が床面に触れることを防止し、ローラ２の表面が汚れることを防止する。
【００２３】
また、本実施の形態に係るハンドクリーナ１にあっては、把手部を握りノブ４としたことにより、把手部を従来における棒状の把手部１２ａに比べて小さく（コンパクトに）することができる。このため、把手部を軽量化でき、結果として、ハンドクリーナを軽量化することができる。また、握りノブ４は手元で４５度の方向転換を容易にする。したがって、従来の棒状の把手部１２ａと比較して、本実施の形態は持ち替えや手首をひねるなどの動作を不要にする。
【００２４】
以上、説明したように、本実施形態に係るハンドクリーナ１は、清掃者による前後左右方向の操作を容易にし、楽な姿勢で清掃作業を行なわせることを実現する。そのため、ハンドクリーナ１を長時間使用する場合においても、本実施形態に係るハンドクリーナ１は清掃者への身体的負担（例えば、手首や肩などの痛み）と疲れを軽減する。
また、ハンドクリーナ１は、従来のハンドクリーナに比べて把手部がコンパクトな形状の握りノブ４となって軽量化され、さらに、握りノブ４を足として倒立させた状態で載置（保管）することができる。そのため、ハンドクリーナ１の利便性は、従来のハンドクリーナと比較して、格段に向上する。
【００２５】
続いて、本発明に係るハンドクリーナの変形例を図８に示す。図８に示すように、握りノブ４の上面が凹形状となっている。
このような握りノブ４を有するハンドクリーナ１を逆さにした状態（図７参照）で載置（保管）した場合、前記底部４ｅが床面と接することがない。
即ち、握りノブ４上面の周縁部のみが床面に当接するため、より安定した状態で載置することができる。
【００２６】
なお、本発明に係るハンドクリーナは前記した実施の形態に限定されるものではない。例えば、握りノブ４の形状は、清掃者が掴み持つ（覆うようにして握る）ことができる形状であればよく、例えば、平面視において、矩形状や三角形状であってもよい。
これによっても、清掃者に与える身体的負担は軽減され、長時間、疲労感の少ない清掃作業を実現する。
【符号の説明】
【００２７】
１      ハンドクリーナ
２      ローラ
３      支持アーム
４      握りノブ
４ａ    頭部
４ｂ    脚部
４ｃ    凹部
４ｄ    中心軸線
４ｅ    底部
５      回転軸
７      被清掃体
８      床
９      人体（腕）
【図１】
2018047079.tif 000003
【図２】
2018047079.tif 000004
【図３】
2018047079.tif 000005
【図４】
2018047079.tif 000006
【図５】
2018047079.tif 000007
【図６】
2018047079.tif 000008
【図７】
2018047079.tif 000009
【図８】
2018047079.tif 000010
【図９】
2018047079.tif 000011